(57)【要約】      （修正有）【課題】貼り薬を肩、背中など手の届きにくい部位に自力で貼り付けることを可能にする貼り薬貼り付け具を提供する。【解決手段】十分な強度と変形能を有した抑え板１と貼り付け板３の組み合わせにおいて、開口部を有した抑え板を間に介し当該開口部に相当する部位に両面テープなどの接着剤を付設した貼り付け板で貼り薬５を接着保持することにより強度のない貼り薬を容易に患部に移送することを可能にし貼り付け板と抑え板を患部に押し付け貼り薬を貼り付けた後抑え板で貼り薬を抑えながら貼り付け板を外力で貼り薬から剥離させてやることで貼り薬を再度身体から剥離させることなく均一に貼り付けを完了することを可能とする。【選択図】図１
0003146297.tif 000002
【実用新案登録請求の範囲】
【請求項１】
貼り薬と相似形の板面に１個或いは複数個の開口部を有し外力により身体に沿うに十分な変形能を有した抑え板と、当該開口部に相当する位置に貼り薬を保持するために必要な両面テープ或いはマジックテープ、糊などの接着剤を付設した貼り薬と相似形の板面で外力により身体に沿うに十分な変形能を有した貼り付け板との組み合わせにおいて、抑え板を間に介し抑え板の開口部に両面テープなどの接着剤を位置するようにした貼り付け板で貼り薬を接着保持し手で全体を身体に押し付けることで身体に貼り付けた後、抑え板にて貼り薬を抑えながら貼り薬を保持した貼り付け板を剥がしていくことにより貼り薬をずらせることなく身体に貼り付けることを可能にした貼り薬貼り付け具。
【請求項２】
貼り付け板と抑え板が連結した一体構造をなし連結部において両板が閉じたり開いたりすることを可能にした請求項１に記載の貼り薬貼り付け具。
【請求項３】
抑え板の４隅に紐などを付設し後背部に貼り薬を貼り付けた後付設した紐を身体の前面で保持したまま外力により貼り付け板を剥がしていくことで貼り薬の貼り付けを可能にした請求項１及び２に記載の貼り薬貼り付け具。
【考案の詳細な説明】
【技術分野】
【０００１】本考案は、自力で貼り薬を貼り付ける器具に関する。
【背景技術】
【０００２】従来、膏薬や湿布薬などの貼り薬を貼り付ける器具については下記に示すように多くの考案がなされている。
【特許文献１】特許公開平７−２９９１４７
【特許文献２】特許公開２００１−１２９０９８
【特許文献３】特許公開２００３−１３５６０５
【特許文献４】特許公開２００４−３４４６２６
【特許文献５】登録実用新案第３０９６６５２号
【特許文献６】登録実用新案第３１０７５３５号
【０００３】これらの考案は文献６を除き全て一人では貼り薬の貼り付けが難しい背中、肩などに貼り薬を届かせるために長い柄を備えた構造をしており、手探りで行う操作の過程で正確に貼り付けたい位置を決めることが難しくまた、貼り付け具から貼り薬を容易に剥離させ難い構造と操作原理になっていた。【０００４】文献６においては均一な曲率を有した長方形板面の両短辺全域に付設した面ファスナーにて貼り薬を保持し、貼り薬を身体に貼り付けた後、身体への貼り薬の粘着力が面ファスナーの保持力をはるかに上回ることで貼り薬を保持板面から剥離させることを基本の原理としているが貼り薬が強い粘着力を発揮するのは体温により薬面が昇温された後であり、貼り付け直後の貼り薬に原理のような強い粘着力は期待出来ない。同時に面ファスナーの付着力がその程度では貼り薬を確実に保持することは難しく、貼り付け作業中に貼り薬面がくっついてしまう恐れが大きい。
【考案の開示】
【考案が解決しようとする課題】
【０００５】多くの場合柔らかな布製の基材を用いている貼り薬はそれ自体の強度がなく容易に変形するため手の届きにくい背中などに貼り付ける場合貼り薬面がくっついてしまい貼り付けに失敗することが多く止むを得ず他人の手を煩わせることになり精神的負担もあり改善が望まれていた。また老齢者や腰痛、打撲、神経痛などで身体が自由にならない患者の場合手が届く範囲が限定的であり貼り付け動作を容易にする必要性は高かった。【０００６】本考案はこのような問題を解決し貼り薬の形状を確実に保持し貼り薬面がくっついてしまう弊害をなくし容易に身体の貼り付けたい部位に貼り付けることが出来る様、さらに手の届きにくい肩、背中、尻などに貼り薬を自力で綺麗に貼り付けることが出来るようにすることを目的とするものであり、同時に従来技術では出来なかった貼り薬を容易に器具から剥離させることを可能にしたものである。
【課題を解決するための手段】
【０００７】本考案は、上記目的を達成するため図２に示す開口部２を有した抑え板１と図３に示す該開口部に相当する位置に接着剤４を付設した貼り付け板３を図４に示すように組み立て、強度のない貼り薬５を、図５に示すように抑え板を間に介し貼り付け板に付設した両面テープ、マジックテープ、糊などの接着剤にて確実に貼り付け保持し、貼り薬面の誤着防止フィルムを剥がした後、貼り薬面が誤着してしまうことなく容易に患部まで移送することを可能にしている。【０００８】同時に患部に貼り付けられた貼り薬を図７に示すように抑え板にて抑えながら貼り付け板を指の背などで押し上げ貼り薬から剥がしてやると、抑え板がない場合に発生する折角貼り付けた貼り薬を身体から剥がす力の発生を抑え板で抑止し、貼り薬を容易に器具から剥離させることが出来るような構成となっている。【０００９】また図８に示す様に抑え板と貼り付け板を一箇所で接続させた構造は貼り付け板と抑え板の組み付けを容易、確実にすることで貼り薬を貼り付け板に貼り付ける操作及び貼り付け板から剥離させる操作を確実にすることが出来る。【００１０】図１０は後背部に貼り薬を貼り付けた時、抑え板の４隅に付設した紐６などを身体の前面で両方向に引くことで抑え板を保持し貼り薬を抑え、外力により貼り付け板を剥がした時に貼り薬が身体から剥がされることなく容易に貼り付け板から剥離させることが出来る構造を示している。
【考案の効果】
【００１１】上述したように本考案の貼り薬貼り付け具は、通常手の届かない背中はおろか、腰や尻など強度の無い貼り薬を貼り付けるのに苦労している箇所にでも容易にそして綺麗に貼り付けることが可能になることから、一人暮らしや身体が不自由な老人達が他人の手を煩わせることなく貼り薬を使用でき生活レベルの向上に寄与できる効果がある。
【考案を実施するための最良の形態】
【００１２】図１に示す本考案の原理は貼り付け板に付設した接着剤で抑え板を間に介し貼り薬を接着保持し身体の患部に貼り付けた後、貼り薬を再び剥がすことの無いよう抑え板で抑えつつ貼り付け板を剥がし貼り薬の貼り付けを完了することにある。通常自分の手が届く範囲で可能なその操作が後背部で用いる場合に容易に実現することが従来技術では難しかったが本考案では柱、壁などを利用することでこれを可能にした。
【実施例】以下、本発明の一実施例を説明する。【００１３】図１０は抑え板の４隅に引き紐取り付け穴が付設され、短辺で接続されている貼り付け板は抑え板の引き紐取り付け穴部分を切り欠かれた構造をしている。通常、手の届く部分へ貼り薬を貼り付ける場合は、引き紐なしに抑え板を抑えながら貼り付け板を指の背などで押し上げ剥離させ貼り付けを完了させることが出来る。また手の届かない後背部に貼り付ける場合は、図１０の貼り付け板背面に付設した両面テープ７で全体を柱や壁面に貼り付け、背中の患部を貼り薬面に押し当て貼り薬全面が患部に十分貼りつく様に身体を上下左右に押し付け、十分に接着された後引き紐６を身体の前面にて両方向に引き、その後一歩前に出ると壁面に取り付けられた貼り付け板から引き紐で身体に押しつけられた抑え板により抑えられた貼り薬が剥離し、紐を緩めると綺麗に手の届かない後背部に貼り付けられている。【００１４】本考案になる貼り薬貼り付け具は、剛性のない貼り薬の形状を保持するに十分な剛性を有していれば紙、樹脂フィルムなどどんな材料でも実用可能であるが、引き紐で抑え板に付設された穴を介して抑え板を身体に密着させるので穴が壊れないだけの強度も必要になってくる。素材はこの２点に注目し選定されれば良い。
【図面の簡単な説明】
【００１５】
【図１】  〔図５〕のＢ−Ｂ断面を含む斜視図で本考案の原理を示している。
【図２】  抑え板の斜視図。
【図３】  貼り付け板の斜視図。
【図４】  貼り付け板と抑え板を抑え板の開口部と貼り付け板の接着剤部が合うように組み合せた斜視図。
【図５】  貼り付け板が抑え板を間に介し貼り薬を保持した状態の斜視図。
【図６】  〔図４〕のＡ−Ａ断面図
【図７】  抑え板を抑えながら指の背などで貼り付け板を剥離させている状態の斜視図。
【図８】  接続一体化した状態の抑え板と貼り付け板の組み合わせ斜視図。
【図９】  〔図８〕のＣ−Ｃ断面図
【図１０】  抑え板の４隅に引き紐穴を、貼り付け板の背面に両面テープを付設した状態の貼り付け板と抑え板の組み合わせ斜視図。
【符号の説明】
【００１６】  １・・・抑え板
２・・・開口部
３・・・貼り付け板
４・・・接着剤部
５・・・貼り薬
６・・・引き紐
７・・・両面テープ
【図１】
0003146297.tif 000003
【図２】
0003146297.tif 000004
【図３】
0003146297.tif 000005
【図４】
0003146297.tif 000006
【図５】
0003146297.tif 000007
【図６】
0003146297.tif 000008
【図７】
0003146297.tif 000009
【図８】
0003146297.tif 000010
【図９】
0003146297.tif 000011
【図１０】
0003146297.tif 000012
【手続補正書】
【提出日】平成20年8月14日(2008.8.14)
【手続補正１】
【補正対象書類名】実用新案登録請求の範囲
【補正対象項目名】請求項１
【補正方法】変更
【補正の内容】
【請求項１】
貼り薬と相似形の板面に１個或いは複数個の開口部を有し外力により身体に沿うに十分な変形能を有した抑え板と、当該開口部に相当する位置に貼り薬を保持するために必要な両面テープ或いはマジックテープ（登録商標）、糊などの接着剤を付設した貼り薬と相似形の板面で外力により身体に沿うに十分な変形能を有した貼り付け板との組み合わせにおいて、抑え板を間に介し抑え板の開口部に両面テープなどの接着剤を位置するようにした貼り付け板で貼り薬を接着保持し手で全体を身体に押し付けることで身体に貼り付けた後、抑え板にて貼り薬を抑えながら貼り薬を保持した貼り付け板を剥がしていくことにより貼り薬をずらせることなく身体に貼り付けることを可能にした貼り薬貼り付け具。
【手続補正２】
【補正対象書類名】明細書
【補正対象項目名】０００７
【補正方法】変更
【補正の内容】
【０００７】本考案は、上記目的を達成するため図２に示す開口部２を有した抑え板１と図３に示す該開口部に相当する位置に接着剤４を付設した貼り付け板３を図４に示すように組み立て、強度のない貼り薬５を、図５に示すように抑え板を間に介し貼り付け板に付設した両面テープ、マジックテープ（登録商標）、糊などの接着剤にて確実に貼り付け保持し、貼り薬面の誤着防止フィルムを剥がした後、貼り薬面が誤着してしまうとなく容易に患部まで移送することを可能にしている。